(57)【要約】  カバーを取り外すために容易に保持され、且つ容易に取り外し可能なアプリケータを含む単回投与材料およびアプリケータパッケージ。トレーは、アプリケータ収容部および材料収容部を有する。材料収容部に隣接する指のための凹みおよびアプリケータ収容部の反対側端部に隣接するアプリケータ支持のための凹みが、アプリケータ収容部に形成されている。指のための凹みにより、カバーを取り外すためにトレーを容易に把持することができる。アプリケータ支持のための凹みは、アプリケータの一端部に力が印加されると、アプリケータをトレーから旋回させるまたはてこで持ち上げるための支点として作用する。材料収容部斜面により、制御された量の材料がアプリケータブラシに配置されることができる。【選択図】図９
2020508264.tif 000002
【特許請求の範囲】
【請求項１】
単回投与材料およびアプリケータパッケージであって、
トレー、
前記トレーに形成された第１の端部および第２の端部および底部を有するアプリケータ収容部、
前記第１の端部に隣接して前記トレーに形成された材料収容部、
前記材料収容部に隣接して前記アプリケータ収容部の前記底部に形成され、且つ前記アプリケータ収容部内に延在している指のための凹み、および
前記アプリケータ収容部の前記第２の端部に隣接して前記アプリケータ収容部の前記底部に形成され、且つ前記アプリケータ収容部内に延在しているアプリケータ支持のための凹みを備え、
それによって、アプリケータが前記アプリケータ収容部内に配置されることができ、材料が前記材料収容部に配置されることができ、且つカバーが、前記トレーに配置されることができ、前記トレーの前記アプリケータおよび前記材料を封止することができる単回投与材料およびアプリケータパッケージ。
【請求項２】
前記トレーに形成されたフランジ、および
前記フランジに取り外し可能に取り付けられたカバーをさらに備える請求項１に記載の単回投与材料およびアプリケータパッケージ。
【請求項３】
前記アプリケータ収容部内に配置されたアプリケータをさらに備える請求項１に記載の単回投与材料およびアプリケータパッケージ。
【請求項４】
前記アプリケータ収容部内に配置された材料をさらに備える請求項１に記載の単回投与材料およびアプリケータパッケージ。
【請求項５】
前記アプリケータ収容部の端部に隣接して前記アプリケータ収容部に形成された前記アプリケータ収容部のより幅広の部分をさらに備え、前記より幅広の部分は、前記アプリケータ収容部の大部分の幅方向寸法よりも大きな幅方向寸法を有し、
それによって、ユーザの指が前記より幅広の部分を通過することができる請求項１に記載の単回投与材料およびアプリケータパッケージ。
【請求項６】
材料を分配するための単回投与材料およびアプリケータパッケージであって、
トレー、
前記トレーに形成された第１の端部および第２の端部および底部を有するアプリケータ収容部、
前記第１の端部に隣接して前記トレーに形成された材料収容部、
前記材料収容部に隣接して前記アプリケータ収容部の底部に前記アプリケータ収容部内に延在している指のための凹み、
前記アプリケータ収容部の前記第２の端部に隣接して前記アプリケータ収容部の前記底部に形成され、且つ前記アプリケータ収容部に延在しているアプリケータ支持のための凹み、
前記アプリケータ収容部内に配置され、且つ前記指のための凹みおよび前記アプリケータ支持のための凹みの上に位置するアプリケータ、
前記材料収容部内に配置される材料、
前記トレーの上表面に形成されたフランジ、および
前記フランジに取り外し可能に貼り付けられたカバーを備え、
それによって、前記カバーが前記トレー内の前記アプリケータおよび前記材料を封止する、材料を分配するための単回投与材料およびアプリケータパッケージ。
【請求項７】
前記アプリケータ収容部の端部に隣接して形成された前記アプリケータ収容部のより幅広の部分をさらに備え、前記より幅広の部分は、前記アプリケータ収容部の大部分の幅方向寸法よりも大きな幅方向寸法を有し、
それによって、ユーザの指が前記より幅広の部分を通過することができる請求項６に記載の材料を分配するための単回投与材料およびアプリケータパッケージ。
【請求項８】
前記材料収容部に形成された斜面をさらに備える請求項６に記載の材料を分配するための単回投与材料およびアプリケータパッケージ。
【請求項９】
前記指のための凹みに形成された前部アプリケータチャネル、および
前記アプリケータ支持のための凹みに形成された後部アプリケータチャネルをさらに備え、
それによって、前記アプリケータは、前記前部アプリケータチャネルおよび前記後部アプリケータチャネルによって保持されることができる請求項６に記載の材料を分配するための単回投与材料およびアプリケータパッケージ。
【請求項１０】
歯科用材料を分配するための単回投与材料およびアプリケータパッケージであって、
プラスチックトレー、
前記プラスチックトレーに形成された第１の端部および第２の端部および底部を有する、前後方向の長さを有するアプリケータ収容部であって、前記アプリケータ収容部は、前記前後方向の長さの大部分にわたって第１の横方向寸法を有し、
前記第１の端部に隣接して前記プラスチックトレーに形成された材料収容部、
前記材料収容部に形成された斜面、
前記材料収容部に隣接して前記アプリケータ収容部の前記底部に形成され、且つ前記アプリケータ収容部内に延在する指のための凹み、
前記指のための凹みに形成された前部アプリケータチャネル、
前記アプリケータ収容部の前記第２の端部に隣接して前記アプリケータ収容部の前記底部に形成され、且つ前記アプリケータ収容部内に延在するアプリケータ支持のための凹み、
前記アプリケータ支持のための凹みに形成された後部アプリケータチャネル、
前記アプリケータ収容部の端部に隣接して形成された前記アプリケータ収容部のより幅広の部分であって、前記より幅広の部分は、前記アプリケータ収容部の前記前後方向の長さの前記大部分の前記第１の横方向寸法よりも大きい第２の横方向寸法を有し、それによって、ユーザの指が前記より幅広の部分を通過することができ、
前記アプリケータ収容部内に配置され、且つ前記指のための凹みおよび前記アプリケータ支持のための凹みの上に位置し、且つ前記前部アプリケータチャネルおよび前記後部アプリケータチャネルによって中央位置に保持された、アプリケータハンドルおよびアプリケータブラシを有するアプリケータ、
前記材料収容部内に配置された歯科用材料、
平らな前記プラスチックトレーの上表面に形成されたフランジ、および
前記フランジに取り外し可能に貼り付けられたカバーを備え、
前記カバーが前記プラスチックトレー内の前記アプリケータおよび前記歯科用材料を封止し、前記カバーを取り外すと、前記アプリケータは、前記アプリケータ収容部の前記より幅広の部分を通って指を置き且つ前記アプリケータハンドルの先端部を下方に押して前記アプリケータ収容部から前記アプリケータブラシを離すことによって、ユーザにより上方へ前記アプリケータ支持のための凹みを中心に旋回されることができる、歯科用材料を分配するための単回投与材料およびアプリケータパッケージ。
【発明の詳細な説明】
【技術分野】
【０００１】
本発明は、一般的に材料およびアプリケータを保持するためのパッケージに関し、より具体的には、材料を表面に容易に、精度よく、且つ便利に塗布する単回投与パッケージに関する。
【背景技術】
【０００２】
多くの用途および特に医療処置において、比較的少量の材料を、処置すべき表面に正確、且つ精度よく配置しなければならない。その材料およびアプリケータを無菌状態または非汚染状態に維持することがしばしば必要である。医療処置中に患者間の交差汚染を防止するために材料の単回投与のみを行うことが都合がよい。
【０００３】
材料およびアプリケータを保持するための多くのパッケージングシステムがある。そのようなパッケージングシステムの一つは、１９９７年８月２６日にＪоｈｎ  Ｊ．Ｄｉｓｃｋｏ，Ｊｒ．氏に対して発行された「Ｓｉｎｇｌｅ  Ｐａｔｉｅｎｔ  Ｄｏｓｅ  Ｍｅｄｉｃａｍｅｎｔ  Ｄｉｓｐｅｎｓｅｒ  ｗｉｔｈ  Ａｐｐｌｉｃａｔｏｒ」と題する米国特許第５，６６０，２７３号に開示されており、この特許は、参照により本明細書に援用される。この特許には、前記材料を保持するための収容部およびアプリケータの一部を保持するための収容部を有するトレーが開示されている。前記アプリケータは、前記トレーの後部から外に延在している。前記トレーの上表面には取り外し可能なカバーが配置されており、前記材料収容部と前記アプリケータの一部を覆っている。このパッケージは、多くの利点を有するが、前記アプリケータの無菌状態および清潔さは、覆われていない前記トレーから延在している前記アプリケータの一部に起因して確保することができない。加えて、前記材料収容部から前記カバーを取り外しながら前記トレーを保持することが難しい。また、前記アプリケータに配置される材料の分量は、精度よく制御することができず、望ましい分量よりも多い材料の分量が塗布される可能性があった。
【０００４】
前記アプリケータ全体を含むパッケージでは、前記アプリケータを前記パッケージから取り外すことがしばしば難しい。前記アプリケータの取り外しは、医療処置の場合のように、手袋を使用するときに、しばしば複雑になるか難しくなる。この結果、前記アプリケータが確実に保持されず前記アプリケータを落とす可能性が増し、その結果、前記アプリケータが医療処置には不適切な汚染を生じることになる。
【０００５】
したがって、前記材料およびアプリケータの両方に対して無菌状態や清潔さを保証し、且つ前記カバーをより容易に取り外すことができるように保持することが容易な材料およびアプリケータを保持できるパッケージの必要性がある。また、前記アプリケータに配置され、且つ表面には届けられる前記材料の分量を制御できるアプリケータおよび材料を含むパッケージの必要性がある。
【発明の概要】
【課題を解決するための手段】
【０００６】
本発明は、材料の分配を便利、且つ容易にする単回投与材料およびアプリケータパッケージである。また、トレーは、当該トレーに形成された材料収容部およびアプリケータ収容部を有する。指のための凹みおよびアプリケータ支持部もまた前記トレーに形成される。前記材料収容部は、当該材料収容部に形成された斜面を有する。取り外し可能なカバーは、前記トレーの上表面を被覆し、前記トレー内の前記材料および前記アプリケータを確実に封止する。
【０００７】
一実施形態では、前記アプリケータ収容部内に前記アプリケータを保持し、且つ中心に置くために追加の凹みが前記トレー内に形成される。
【０００８】
材料の分配を容易、且つ便利にするパッケージを提供することが本発明の一つの目的である。
【０００９】
前記材料およびアプリケータが無菌状態に維持されるまたは汚染しないようにすることを保証するパッケージを提供することが本発明の他の一つの目的である。
【００１０】
前記パッケージが容易に保持され、且つ前記カバーを取り外すための確実な把持を提供することが本発明の利点である。
【００１１】
手袋をした手でも前記アプリケータを容易に取り外すことが本発明の他の一つの利点である。
【００１２】
前記アプリケータに含まれる材料の量または分量を便利に調整する、または制御することが本発明の他の一つの利点である。
【００１３】
指のための凹みを前記トレーに形成し、前記パッケージに確実な把持を提供することが本発明の一つの特徴である。
【００１４】
アプリケータ支持部が、前記アプリケータ収容部の端部に隣接して支点を作り出し、前記アプリケータを前記トレーからの容易な取り外しのために容易に上方に旋回するまたはてこで持ち上げることを可能にすることが本発明の他の一つの特徴である。
【００１５】
前記材料収容部に斜面を形成し、前記アプリケータに含まれる材料の分量を調整する、または制御することを可能にすることが本発明の他の一つの特徴である。
【００１６】
これらおよび他の目的、利点および特徴は、以下のより詳細な説明からより容易に明白になるであろう。
【図面の簡単な説明】
【００１７】
【図１】カバーが取り付けられた本発明の第１の実施形態の斜視図である。
【図２】カバーが取り外された本発明の第１の実施形態の斜視図である。
【図３】カバーが取り外された本発明の第１の実施形態の異なる角度の斜視図である。
【図４】カバーを有さない本発明の第１の実施形態の平面図である。
【図５】本発明の第１の実施形態の底面図である。
【図６】本発明の第１の実施形態の側面図である。
【図７】本発明の第１の実施形態の背面図である。
【図８】本発明の第１の実施形態の正面図である。
【図９】アプリケータおよびアプリケータ内に配置された材料を有する本発明の第１の実施形態の斜視図である。
【図１０】アプリケータの取り外し示す図９におけるＡ−Ａ線に沿って切断された部分断面図である。
【図１１】アプリケータを中心に置くための追加の凹みを示すカバーが取り外された本発明の第２の実施形態の斜視図である。
【図１２】本発明の第２の実施形態の平面図である。
【図１３】本発明の第２の実施形態の底面図である。
【図１４】本発明の第２の実施形態の側面図である。
【図１５】本発明の第２の実施形態の背面図である。
【図１６】本発明の第２の実施形態の正面図である。
【発明を実施するための形態】
【００１８】
図１から図１０は、本発明の単回投与材料およびアプリケータパッケージ１０の第１の実施形態を示している。図１は、取り外し可能なカバー１２を有する、形成トレー１４を示す斜視図である。取り外し可能なカバー１２は、トレー１４の表面に取り外し可能に取り付けられている。トレー１４は、任意の適切なプラスチック材料で作られることができ、好ましくは真空成形されるが、射出成形であってもよい。カバー１２の一部すなわちタブが、トレー１４の縁部から張り出して、カバー１２の取り外しを容易にすることができる。あるいは、カバーの小部分が、トレー１４に取り付けられずに、取り外しを容易にすることができる。カバーは、プラスチックラミネート箔等の耐久性のある不浸透性材料から作られることが好ましい。カバーは、トレー１４に接着剤で固定、または熱封止、超音波接合されてもよいし、他の同等の手段によって貼り付けられてもよい。
【００１９】
図２から図１０は、さらに、カバーが取り外された本発明の第１の実施形態を示し、本発明の特徴を見易くしている。単回投与材料およびアプリケータパッケージ１０の使用と機能を大幅に促進するいくつかの凹みがトレー１４内に形成されている。フランジ１６、アプリケータ収容部１８、および材料収容部２０がトレー１４内に形成されている。フランジ１６は、アプリケータ収容部１８および材料収容部２０の上方に平らな表面を形成している。材料収容部底部２２および材料収容部斜面２４が材料収容部２０内に形成されている。材料収容部斜面２４は、フランジ１６と材料収容部底部２２との間に角度の付いた表面を形成している。また、指のための凹み２６および第１のアプリケータ支持のための凹み２８が、トレー１４内でアプリケータ収容部１８の底部３２に形成されている。アプリケータ支持のための凹み２８は、トレー１４の後端部３０に隣接している。指のための凹み２６は、アプリケータ収容部１８の内側に第１のアプリケータ支持突起を形成している。アプリケータ支持のための凹み２８は、アプリケータ収容部１８の内側に第２のアプリケータ支持突起を形成している。
【００２０】
指のための凹み２６およびアプリケータ支持のための凹み２８は、アプリケータ収容部１８内に延在している。図９および図１０に示されているアプリケータ３４は、アプリケータ収容部１８の内側で指のための凹み２６の表面およびアプリケータ支持のための凹み２８の表面に載っている。
【００２１】
図９および図１０に示されているアプリケータ３４は、アプリケータハンドル３６およびアプリケータブラシ３８を有する。アプリケータブラシ３８は、毛、発泡材料、またはフロッキング等の、材料を保持できる任意のタイプのアプリケータブラシでよい。指のための凹み２６は、アプリケータブラシ３８に隣接するアプリケータ３４の一部を支持し、アプリケータ支持のための凹み２８は、ハンドル３６の先端部に隣接するアプリケータ３４の一部を支持する。材料４０は、材料収容部２０内に配置されている。材料４０は、ペースト、ジェルまたは液体等の任意のタイプの材料であってよい。材料４０は、医薬用材料であることが好ましく、且つ好ましくは、歯科用材料である。歯科用材料は、セメント、シーラント、消毒剤、知覚過敏抑制剤、フッ化物材料、または表面に施される任意の他の材料等の歯科で使用される任意の材料でよい。
【００２２】
本発明の利点の一つは、図１０に示されている。図１０に示されているように、アプリケータ３４は、アプリケータハンドル３６の先端部を指で押すことによって容易にアプリケータ収容部１８から取り外される。矢印４２は、アプリケータハンドル３６の先端部にユーザの指で印加される下方への圧力を示す。アプリケータ収容部１８の後端部３０に隣接する、図９に示されたより幅広の部分４１は、アプリケータ収容部１８の大部分の前後方向の長さの横方向寸法に比較して増した横方向寸法を有する。前記より幅広の部分４１は、ユーザの指の挿入にとって十分な幅すなわち横方向寸法を提供する。前記より幅広の部分４１の横方向寸法は、ユーザの指の幅を収容するために十分に大きくするべきである。ユーザがアプリケータ３４のアプリケータハンドル３６の先端部を押すと、アプリケータハンドル３６は、アプリケータ３４がユーザによって容易に把持されるように、支点のように作用するアプリケータ支持のための凹み２８を軸として旋回してアプリケータハンドル３６およびアプリケータブラシ３８を上方にてこで持ち上げる。したがって、アプリケータ３４は、アプリケータ３４の幅がアプリケータ収容部１８の幅によりぴったり一致するときでも、アプリケータ収容部１８から容易に取り外される。これによって、トレー１４に使用される材料の量が減少し、アプリケータ収容部１８内でアプリケータ３４をより安全に保持し、アプリケータ収容部１８からアプリケータ３４の容易な取り外しが可能になる。
【００２３】
一旦、アプリケータ３４がアプリケータ収容部１８およびトレー１４から取り外されると、アプリケータブラシ３８は、材料内に浸され、表面に塗布されることができる。表面に塗布するアプリケータブラシ３８上の材料の量を制御するために、アプリケータブラシ３８は、アプリケータブラシ３８から望ましい量の材料４０を取り除くために材料収容部斜面２４に擦り付けられることができる。これによって、アプリケータブラシ３８により表面に塗布される材料４０の量を制御するための手段が提供される。
【００２４】
図１１から図１６は、本発明の単回投与材料およびアプリケータパッケージ１１０の第２の実施形態を示している。この実施形態では、前部アプリケータチャネル１４６および後部アプリケータチャネル１４８は、アプリケータをアプリケータ収容部１１８の中心に置き、且つ保持するのを支援する。図示しない、アプリケータのハンドルは、前部アプリケータチャネル１４６および後部アプリケータチャネル１４８によって保持される。
【００２５】
図１１から図１６では、取り外し可能なカバーが示されていない。しかし、当然のことながら、図１に示されたものと同様な取り外し可能なカバーが、単回投与材料およびアプリケータパッケージ１１０のこの第２の実施形態におけるフランジ１１６上に配置されている。
【００２６】
図１１から図１６に示されているように、単回投与材料およびアプリケータパッケージ１１０は、フランジ１１６を有する、形成トレー１１４を備えている。また、アプリケータ収容部１１８および材料収容部１２０が、トレー１１４に形成されている。材料収容部１２０は、内部に形成された材料収容部斜面１２４を有する。アプリケータ収容部１１８は、当該アプリケータ収容部１１８の底部に形成された指のための凹み１２６およびアプリケータ支持のための凹み１２８を有する。アプリケータ収容部１１８は、内部に形成された後端部１３０を有する。後端部１３０とアプリケータ支持のための凹み１２８との間には、ユーザの指の挿入に十分な横方向寸法を有するより幅広の部分１４１がある。
【００２７】
前部アプリケータチャネル１４６は指のための凹み１２６に形成され、後部アプリケータチャネル１４８がアプリケータ支持のための凹みに形成されている。前部アプリケータチャネル１４６および後部アプリケータチャネル１４８は、アプリケータがアプリケータ収容部１１８内に配置されたときに当該アプリケータを保持し、且つ中心に置くことを支援する。前部アプリケータチャネル１４６および後部アプリケータチャネル１４８は、アプリケータをアプリケータ収容部１１８内に確実に保持するためにアプリケータのハンドルの周りに１８０°強延在してもよい。
【００２８】
加えて、図１１から図１６に示されたこの第２の実施形態では、材料収容部斜面１２４は、材料収容部底部１２２からフランジ１１６に延在している。この第２の実施形態では、材料収容部斜面１２４が材料の外に延在することになるので、材料収容部１２０に配置された材料の量に関係なくアプリケータブラシ上の材料の量を制御する手段として使用することができる。材料収容部斜面１２４は、アプリケータブラシから制御した量の材料を取り除くことを支援するために凹凸またはうねを設けることができる。
【００２９】
本発明は、取り外し可能なカバーがより容易に取り外されることができるように、より強固に、且つより容易に保持されることができるよう改良された単回投与材料およびアプリケータパッケージを提供する。加えて、アプリケータ支持のための凹みは、トレーの後端部に隣接して指を配置するだけで容易な取り外しのためにアプリケータがトレーのフランジの上方へ持ち上げられることができるように支点のように作用する。
【００３０】
本発明は、いくつかの異なる実施形態に関して説明されたが、様々な変更が、本発明の精神と範囲から逸脱することなく行われ得ることは明白である。
【図１】
2020508264.tif 000003
【図２】
2020508264.tif 000004
【図３】
2020508264.tif 000005
【図４】
2020508264.tif 000006
【図５】
2020508264.tif 000007
【図６】
2020508264.tif 000008
【図７】
2020508264.tif 000009
【図８】
2020508264.tif 000010
【図９】
2020508264.tif 000011
【図１０】
2020508264.tif 000012
【図１１】
2020508264.tif 000013
【図１２】
2020508264.tif 000014
【図１３】
2020508264.tif 000015
【図１４】
2020508264.tif 000016
【図１５】
2020508264.tif 000017
【図１６】
2020508264.tif 000018
【国際調査報告】
2020508264.tif 000019
2020508264.tif 000020
2020508264.tif 000021